【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
外部通信路を通じて入力されるデータ入出力要求を受信して記憶手段に対するデータ入出力指示を送信する複数の制御部と、
前記制御部間のデータ入出力指示及びデータ入出力を行うための内部通信路と、
前記制御部が前記内部通信路を通じて他の前記制御部に自身の稼働情報を送信することで前記制御部が互いに他の前記制御部の稼働状態を監視する手段と、
を備えることを特徴とする記憶制御装置。
【請求項２】
外部通信路を通じて入力されるデータ入出力要求を受信して記憶手段にデータ入出力指示を送信する複数の制御部と、
前記制御部間におけるデータ入出力指示及びデータ入出力を行い前記記憶手段が接続する内部通信路と、
前記制御部の稼働情報を前記制御部から前記内部通信路を通じて当該内部通信路に接続するメモリに送信しこれを当該メモリに記憶する手段と、
前記制御部が前記内部通信路を通じて前記メモリにアクセスし前記稼働情報に基づいて他の前記制御部の稼働状況を監視する手段と、
を備えることを特徴とする記憶制御装置。
【請求項３】
前記制御部が、
中央処理装置と、前記外部通信路に接続するための外部通信インタフェースと、
前記内部通信路と接続するための内部通信インタフェースと、
を備えることを特徴とする請求項２に記載の記憶制御装置。
【請求項４】
前記稼働情報には前記制御部の障害有無を示す情報が含まれており、
前記制御部が前記監視手段により他の前記制御部に障害が生じていることを認知した場合、障害が生じている前記制御部が行っていた処理を他の前記制御部に引き継ぐ手段を備えることを特徴とする請求項１または２のいずれかに記載の記憶制御装置。
【請求項５】
前記メモリは前記制御部が担当する処理に関するリソース情報を記憶する手段を備え、
前記処理の引き継ぎ先となる前記制御部が、前記リソース情報にアクセスし当該制御部自身が引き継ぐべき前記処理を認知する手段を備えることを特徴とする請求項４に記載の記憶制御装置。
【請求項６】
前記リソース情報には、前記制御部が前記外部通信路もしくは前記内部通信路による通信に必要な情報が含まれることを特徴とする請求項５に記載の記憶制御装置。
【請求項７】
前記リソース情報には、前記データ入出力指示において指定する記憶領域指定情報が含まれることを特徴とする請求項５に記載の記憶制御装置。
【請求項８】
前記リソース情報には、外部通信路上における前記制御部のネットワークアドレスが含まれることを特徴とする請求項５に記載の記憶制御装置。
【請求項９】
前記稼働情報には、前記中央処理装置、前記外部通信インタフェース、前記内部通信インタフェースのいずれかについての障害の有無を示す情報が含まれることを特徴とする請求項３に記載の記憶制御装置。
【請求項１０】
前記障害の有無を示す情報が、前記制御部が前記内部通信路を介して前記メモリに一定間隔で送信され、前記制御部に対応づけて記憶されるタイムスタンプであり、
前記監視手段は、ある前記制御部に対応する前記タイムスタンプが一定時間以上更新されていない場合に、そのタイムスタンプに対応づけられている前記制御部に障害が生じていると認知することを特徴とする請求項９に記載の記憶制御装置。
【請求項１１】
前記監視手段が、前記稼働情報にアクセスできない場合に、前記内部通信路に障害が生じていると判断する手段を備えることを特徴とする請求項４に記載の記憶制御装置。
【請求項１２】
前記監視手段が、前記稼働情報にアクセスできかつ前記のある制御部の前記タイムスタンプが一定時間以上更新されていない場合に、その制御部自体に障害が生じていると判断する手段を備えることを特徴とする請求項４に記載の記憶制御装置。
【請求項１３】
前記記憶手段が、中央処理装置と、前記メモリと、ディスクドライブなどの記憶資源に対するデータ入出力を行うデバイスインタフェースとを備えることを特徴とする請求項２に記載の記憶制御装置。
【請求項１４】
前記稼働情報、もしくは、前記リソース情報は、前記メモリに記憶されることを特徴とする請求項１３に記載の記憶制御装置。
【請求項１５】
前記稼働情報、もしくは、前記リソース情報は、前記記憶資源に記憶されることを特徴とする請求項１３に記載の記憶制御装置。
【請求項１６】
前記制御部が、データ入出力要求をファイル名単位で行うファイルシステムを備え、ファイル名により指定されるデータを単位として前記記憶手段に対する前記データ入出力指示を送信する手段を備えることを特徴とする請求項２に記載の記憶制御装置。
【請求項１７】
前記記憶手段が、ディスクドライブなどの記憶資源に対するデータ入出力を制御するデバイスインタフェースと、
キャッシュメモリと、
前記キャッシュメモリを介して前記記憶資源に対するデータの読み書きを行う手段と、
を備えることを特徴とする請求項２に記載の記憶制御装置。
【請求項１８】
前記内部通信路が、複数の通信経路により冗長構成されることを特徴とする請求項１に記載の記憶制御装置。
【請求項１９】
前記制御部が、前記内部通信路とは別に設けられ前記制御部間を接続する他の通信路を通じて他の前記制御部に自身の稼働情報を送信する手段を備え、
前記制御部が前記他の通信路を通じて送信しようとする前記稼働情報を前記内部通信路に対して送信する変換手段を備えることを特徴とする請求項２に記載の記憶制御装置。
【請求項２０】
外部通信路を通じて入力されるデータ入出力要求を受信して記憶手段に対するデータ入出力指示を送信する複数の制御部と、前記制御部間のデータ入出力指示及びデータ入出力を行うための内部通信路と、を備える記憶制御装置の制御方法であって、
前記制御部が前記内部通信路を通じて他の前記制御部に自身の稼働情報を送信することで前記制御部同士が他の前記制御部の稼働状態を監視することを特徴とする記憶制御装置の制御方法。
【請求項２１】
外部通信路を通じて入力されるデータ入出力要求を受信して記憶手段にデータ入出力指示を送信する複数の制御部と、前記制御部間におけるデータ入出力指示及びデータ入出力を行い前記記憶手段が接続する内部通信路と、を備える記憶制御装置の制御方法であって、
前記制御部の稼働情報を前記制御部から前記内部通信路を通じて当該内部通信路に接続するメモリに送信しこれを当該メモリに記憶し、
前記制御部が前記内部通信路を通じて前記メモリにアクセスし前記稼働情報に基づいて他の前記制御部の稼働状況を監視することを特徴とする記憶制御装置の制御方法。
【請求項２２】
ディスクドライブ、キャッシュメモリ、前記ディスクドライブに対するデータの書き込み／読み出しを実行するデバイスインタフェース、及びシステム管理情報などが記憶される制御メモリを有する記憶装置と、
プロセッサを有し、ＬＡＮなどの外部通信路を通じて入力されるファイル名指定によるデータ入出力要求を受信して前記ディスクドライブに対するデータ入出力指示を生成する複数の制御部と、
前記各制御部、前記キャッシュメモリ、前記デバイスインタフェース、及び前記制御メモリが接続し、これらの間におけるデータ入出力処理に用いられる制御バスと、
を備え、
前記記憶装置が、第一の前記制御部から前記制御バスを通じてアクセスがあると、当該アクセスがあった時刻などの稼働情報を前記制御メモリに書き込み、
前記第一の制御部とは異なる第二の前記制御部は、前記制御バスを通じて前記制御メモリにアクセスし、前記制御メモリに記憶されている前記稼働情報を参照することにより前記第一の制御部の稼働状況を監視すること
を特徴とする記憶制御装置。
【請求項２３】
外部通信路を通じて入力されるデータ入出力要求を受信して記憶手段に対するデータ入出力指示を送信する複数の制御部と、
前記複数の制御部と前記記憶手段とに接続され、データの入出力を行うスイッチ手段と、
前記制御部が前記スイッチ手段を介して、他の前記制御部に自身の稼働情報を送信することで前記制御部が互いに他の前記制御部の稼働情報を監視する手段と、
を有することを特徴とする記憶制御装置。